(57)【要約】【課題】ロールのたわみに合わせ、あるいはドクターホルダーのたわみを抑制させるため、簡易にドクターブレードの形状を湾曲させる機構を備えたドクター装置であって、前記ロールにドクターブレードを均一に当接させることを可能としたドクターホルダーを有するドクター装置を提供すること。【解決手段】先端部がロールに当接するドクターブレードと、前記ドクターブレードを保持するドクターホルダーとを有するドクター装置において、ドクターブレードを幅方向に湾曲させる機構を備えていることを特徴とするドクター装置。【選択図】なし【特許請求の範囲】
【請求項１】
先端部がロールに当接するドクターブレードと、前記ドクターブレードを保持するドクターホルダーとを有するドクター装置において、ドクターブレードを幅方向に湾曲させる機構を備えていることを特徴とするドクター装置。
【請求項２】
前記幅方向に湾曲させる機構がネジ方式であることを特徴とする請求項１に記載のドクター装置。
【発明の詳細な説明】
【０００１】
【発明の属する技術分野】
本発明はグラビアコーター等において使用される余分な塗液をかき落とすドクターリング機構に用いるドクター装置に関する。
【０００２】
【従来の技術】
従来、一般的に使用されているグラビアコーター等のドクター装置におけるドクターホルダーは、２枚の平行に設けた板間にドクターブレードを挟むか平面度のでている板に平行度のでているスリットに差し込んで固定する方式である。
【０００３】
この種のドクターホルダーを有したドクター装置では、ドクターブレード先端をロール幅方向に対し、均一に当接させることが重要である。このため、ドクター装置にあっては、ドクターブレードをロール幅方向に均一に当接させるための調節機構が設けられる。この調節機構には調節ネジを用いドクターブレードを局所的に加圧し、うねり形状を任意に可変させ当接させる装置がある。
【０００４】
一般にロール幅が長尺化するほどロール自体が自重によりたわんでしまい，さらにはロール幅の長尺化にともない、ドクターホルダーを長尺化させる必要があるため、ドクターホルダー自体も自重によりたわんでしまう。
【０００５】
【発明が解決しようとする課題】
しかしながら、従来装置ではロール幅長尺化にともない局所加圧を行う調節ネジが多数必要になり、調節に労力を要するという問題があった。
本発明は、ロールのたわみに合わせ、あるいはドクターホルダーのたわみを抑制させるため、簡易にドクターブレードの形状を湾曲させる機構を備えたドクター装置であって、前記ロールにドクターブレードを均一に当接させることを可能としたドクターホルダーを有するドクター装置を提供することを課題とする。
【０００６】
【課題を解決するための手段】
本発明において上記の課題を達成するために、まず請求項１の発明では、先端部がロールに当接するドクターブレードと、前記ドクターブレードを保持するドクターホルダーとを有するドクター装置において、ドクターブレードを幅方向に湾曲させる機構を備えていることを特徴とするドクター装置としたものである。
【０００７】
また請求項２の発明では、前記幅方向に湾曲させる機構がネジ方式であることを特徴とする請求項１に記載のドクター装置としたものである。
【０００８】
【発明の実施の形態】
以下、本発明の一実施例を図に基づいて説明することにより、本発明の実施の形態を説明する。
本発明のドクター装置の一実施例について、断面図を図１に、正面図を図２に、側面図を図３に示す。
【０００９】
ドクターブレード２を上側当板３ａと下側当板３ｂで挟み、上側ホルダー１ａと下側ホルダー１ｂの内面側に設けられたスリットに挿入する。なお、上側当板３ａ、下側当板３ｂおよびドクターブレード２はスリットに挿入して、押し込むことで位置あわせが可能となっている。位置あわせを行った後、一定トルクで締め付けボルト４により上側当板３ａ、下側当板３ｂおよびドクターブレード２をドクターホルダー１に固定する。
【００１０】
湾曲調整ネジ６に付属している湾曲ナット７を幅方向に移動させて、支持台５に固定することにより、２つの支持台５が、湾曲調整ネジ６により接続される。湾曲調整ネジ６により接続された２つの支持台５の間の距離は、湾曲ナット７を移動させて固定した位置に応じて変化する。湾曲調整ネジ６により接続された２つの支持台５の間の距離が小さくなればなるほど、ドクターブレード２は、より大きく湾曲調整ネジ６から離れるように湾曲する（図３参照）。
【００１１】
この結果、湾曲調整ネジ６に付属している湾曲調整ナット７を幅方向に移動させ、支持台５に固定することにより、ロール８のたわみ、ドクターホルダー１のたわみによらずドクターブレード２を湾曲させロール８に均一に当接させることが可能となる（図４参照）。
【００１２】
１００ｎｍレベルの高精度薄膜均一塗工が要求される光学薄膜の塗工において膜厚のばらつきは、光学特性および面性に大きく影響をおよぼす。そのため、幅方向の膜厚分布についてもばらつきを少なくすることが重要である。
以下に例示する条件で塗工を行い、本発明のドクター装置を用い、ドクターブレードをロールに均一に当接するよう幅方向の湾曲を調整した場合の膜厚分布を図５の（ａ）に示す。
【００１３】
2004025004.tif 000002
【００１４】
一方、本発明によるドクターブレードの湾曲の調整を試みずに、塗工を実施した場合の幅方向の膜厚分布を図５の（ｂ）に示す。
【００１５】
図５の（ａ）および（ｂ）は上記塗工条件について塗工後、基材中央部より１００ｍｍ間隔で幅方向に１３点の膜厚を測定したグラフである。
【００１６】
本発明によるドクターブレードの湾曲を調整しない場合、両端の膜厚が薄く中央部の膜厚が厚くなり、膜厚分布の標準偏差は２．６１となっており、光学薄膜としてはばらつきが大きくなっている。一方、本発明によるドクターブレードの湾曲を調整した場合、膜厚の分布の標準偏差０．８０とばらつきが小さくなり、良好な膜厚分布を得ることが出来た。また、ドクターブレードの湾曲の調整に要した時間は１〜２分であり、短時間かつ容易に実行出来た。
【００１７】
尚、図１〜３に示した上述のドクターブレードを幅方向に湾曲させる機構は、あくまでも一例であって、ドクターブレードを幅方向に湾曲させることが可能である限り、他の機構であって良い。
【００１８】
【発明の効果】
以上説明したように、本発明のドクター装置によれば、容易にドクターブレードの湾曲を調整することが出来、良好な幅方向の膜厚分布を得る塗工が可能となる。
したがって、高精度な膜厚分布を要求される光学薄膜等を製造する場合のドクター装置として利用出来る。
【図面の簡単な説明】
【図１】本発明のドクター装置の一実施例を示す断面図である。
【図２】図１に断面を示すドクター装置の正面図である。
【図３】図１に断面を示すドクター装置の側面図である。
【図４】本発明のドクター装置により湾曲させてロールに当接させたドクターブレードを示す図である。
【図５】塗液を塗工した時の膜厚分布を示したグラフであって、（ａ）は、本発明によるドクターブレードの湾曲の調整した場合の膜厚分布を示すグラフであり、（ｂ）は、本発明によるドクターブレードの湾曲の調整しない場合の膜厚分布を示すグラフである。
【符号の説明】
１…ドクターホルダー
１ａ…上側ホルダー
１ｂ…下側ホルダー
２…ドクターブレード
３ａ…上側当板
３ｂ…下側当板
４…締め付けボルト
５…固定台
６…湾曲調整ネジ
７…湾曲調整ナット
８…ロール
【図１】
2004025004.tif 000003
【図２】
2004025004.tif 000004
【図３】
2004025004.tif 000005
【図４】
2004025004.tif 000006
【図５】
2004025004.tif 000007